(57)【特許請求の範囲】
【請求項１】
車車間通信が確立している自車両と他車両との間でデータを送受信する通信部と、
前記自車両の車両情報を取得する車両情報取得部と、
前記車両情報取得部が取得した車両情報を分割して複数の分割データを作成する分割データ作成部と、
前記通信部を介して前記他車両から取得した複数の分割データの排他的論理和を演算して合成データを作成するか、前記通信部を介して前記他車両から取得した一部の分割データと合成データの排他的論理和を演算して残りの分割データを復元する排他的論理和演算部と、
先頭車両グループ、前記先頭車両グループと車車間通信が可能なデータ転送車両グループ、前記データ転送車両グループと車車間通信が可能なデータ合成車両グループ、ならびに、前記データ転送車両グループおよび前記データ合成車両グループと車車間通信が可能な後続車両グループから構成される車車間通信ネットワークのうち、前記自車両が所属する車両グループに応じて通信制御方法を切り替える制御部とを備え、
前記制御部は、
前記自車両が前記先頭車両グループに所属する場合、前記車両情報取得部に車両情報を取得させ、前記分割データ作成部に複数の分割データを作成させて、前記通信部から前記データ転送車両グループへ送信させ、
前記自車両が前記データ転送車両グループに所属する場合、前記複数の分割データを前記通信部に受信させて前記車両情報を復元すると共に、一部の前記分割データを前記通信部から前記データ合成車両グループおよび前記後続車両グループへ送信させ、
前記自車両が前記データ合成車両グループに所属する場合、前記データ転送車両グループが送信した前記分割データのすべてを前記通信部に受信させて前記車両情報を復元すると共に、前記排他的論理和演算部に合成データを作成させて前記通信部から前記後続車両グループへ送信させ、
前記自車両が前記後続車両グループに所属する場合、前記データ転送車両グループが送信した一部の前記分割データと前記データ合成車両グループが送信した前記合成データとを前記通信部に受信させて、前記排他的論理和演算部に残りの前記分割データを復元させ、一部の前記分割データと残りの前記分割データとから前記車両情報を復元することを特徴とする車車間通信装置。
【請求項２】
前記制御部は、前記車車間通信ネットワークを構成する車両の位置関係に基づいて、前記車両グループを構築することを特徴とする請求項１記載の車車間通信装置。
【請求項３】
前記制御部は、前記車両の走行順番が入れ替わった場合に前記車両グループを再構築し、当該再構築した車両グループに応じて通信制御方法を切り替えることを特徴とする請求項２記載の車車間通信装置。
【請求項４】
前記制御部は、前記自車両が前記先頭車両グループに所属する場合に、前記自車両に設置されている報知部を介して運転者へ、先頭車両になった旨を報知させることを特徴とする請求項３記載の車車間通信装置。
【請求項５】
前記制御部は、前記自車両に設置されている入力部を介して運転者から、先頭車両として走行するか否かの選択を受け付けることを特徴とする請求項４記載の車車間通信装置。
【請求項６】
前記自車両を制御して、一定の速度で走行するか先頭車両に追従して走行するオートクルーズ機能を実行する支援部を備え、
前記制御部は、前記支援部が前記オートクルーズ機能を実行している場合であって前記自車両が前記先頭車両グループに所属する場合に、前記報知部を介して運転者へ、前記自車両の走行速度を設定できる旨を報知させることを特徴とする請求項４記載の車車間通信装置。
【請求項７】
前記制御部は、前記車車間通信ネットワークを構築しているすべての車両が前記先頭車両グループとの車車間通信が可能な範囲に存在する場合に、前記通信部を制御して、前記先頭車両グループから前記車両情報を直接取得させ、取得した前記車両情報を他車両へ送信させないことを特徴とする請求項２記載の車車間通信装置。
【請求項８】
前記制御部は、前記先頭車両グループ、前記データ転送車両グループ、および前記データ合成車両グループのうちのいずれかの車両グループに所属する車両が離脱した場合に、前記自車両に設置されている報知部を介して運転者へ、前記車両が離脱した車両グループの位置への移動を促す案内を行うことを特徴とする請求項１記載の車車間通信装置。
【請求項９】
前記自車両の走行を制御する支援部を備え、
前記制御部は、前記先頭車両グループ、前記データ転送車両グループ、および前記データ合成車両グループのうちのいずれかの車両グループに所属する車両が離脱した場合に、前記支援部に指示して、前記車両が離脱した車両グループの位置に前記自車両を移動させることを特徴とする請求項８記載の車車間通信装置。
【請求項１０】
前記制御部は、前記車両が離脱した車両グループの位置に前記自車両が移動した場合に、当該車両グループに応じた通信制御方法に切り替えることを特徴とする請求項８記載の車車間通信装置。
【請求項１１】
前記通信部がデータの送受信に使用する通信チャネルおよび通信期間を制御するチャネル設定部を備え、
前記チャネル設定部は、前記通信部を制御して、前記自車両を含む車両グループ間でのデータ送受信を、他の車両グループ間でのデータ送受信とは異なる通信チャネルまたは異なる通信期間で行わせることを特徴とする請求項１記載の車車間通信装置。
【請求項１２】
前記チャネル設定部は、前記通信部を制御して、前記自車両を含む車両グループ間でのデータ送受信を、他の車両グループ間でのデータ送受信とは異なる通信チャネルで行わせ、通信期間の重畳を許容することを特徴とする請求項１１記載の車車間通信装置。
【請求項１３】
前記チャネル設定部は、前記通信部を制御して、前記自車両を含む車両グループ間でのデータ送受信と、他の車両グループ間でのデータ送受信とを同一の通信期間内に行わせることを特徴とする請求項１２記載の車車間通信装置。
【請求項１４】
前記通信部を複数備えることを特徴とする請求項１１記載の車車間通信装置。
【発明の詳細な説明】
【技術分野】
【０００１】
この発明は、車車間通信（車両間の通信）を行う車車間通信装置に関する。
【背景技術】
【０００２】
車車間通信を利用して複数の車両間で車両情報を共有することで、車両制御（例えば、オートクルーズ）および追従走行などの支援を行う車車間通信装置が広く知られている。しかしながら、従来の車車間通信装置では、送信元の車両が周囲の車両へデータを送信し、そのデータを受信した車両がさらに周囲の車両へ転送する繰り返しであるため、データ共有が完了しているにも関わらず転送が繰り返され、同一データの過度な再転送により輻輳が発生する問題があった。輻輳の問題を解決するために転送回数を制限すると、データを受信できない車両が出る等、支援に悪影響を及ぼすという問題が存在する。また、前述の輻輳が発生した場合には、車車間通信全体で通信遅延が発生して、車車間通信を利用した他の支援サービスにも影響するという問題もある。【０００３】
そこで、例えば特許文献１および特許文献２では、複数の車両間でデータを共有する場合に、送信元の車両が分割したデータを別々の車両に送信し、分割データを受信した車両間で未受信の分割データを送受信し合うことにより、送信データ量を削減して輻輳を抑制していた。
また例えば、特許文献３では、複数の車両間での車車間通信時にネットワークを構築し、ネットワークにおける通信経路に準じてデータを転送していくことにより、過度なデータ転送を防止していた。
【先行技術文献】
【特許文献】
【０００４】
【特許文献１】特開２０１３−１２１５４号公報
【特許文献２】特開２０１０−２２００５０号公報
【特許文献３】特開２００９−２４６９３１号公報
【発明の概要】
【発明が解決しようとする課題】
【０００５】
上記特許文献１および特許文献２の通信方法では、分割データを送受信することで送信データ量を削減して輻輳を抑制しているが、車両間で未受信の分割データを送受信し合う際に従来の問題である過度のデータ転送を防止することはできないという課題があった。【０００６】
また、特許文献３の通信方法では、一対一の関係でネットワークを構築しているため、一対多の無線通信である車車間通信に適さず、複数の車両間でデータを共有するためにはデータ転送回数が多大となり、結果として通信遅延が生じる場合があるという課題があった。【０００７】
この発明は、上記のような課題を解決するためになされたもので、複数の車両間でデータを共有する場合に、輻輳の軽減とデータ転送量の削減を図ることを目的とする。
【課題を解決するための手段】
【０００８】
この発明の車車間通信装置は、車車間通信が確立している自車両と他車両との間でデータを送受信する通信部と、自車両の車両情報を取得する車両情報取得部と、車両情報取得部が取得した車両情報を分割して複数の分割データを作成する分割データ作成部と、通信部を介して他車両から取得した複数の分割データの排他的論理和を演算して合成データを作成するか、通信部を介して他車両から取得した一部の分割データと合成データの排他的論理和を演算して残りの分割データを復元する排他的論理和演算部と、先頭車両グループ、先頭車両グループと車車間通信が可能なデータ転送車両グループ、データ転送車両グループと車車間通信が可能なデータ合成車両グループ、ならびに、データ転送車両グループおよびデータ合成車両グループと車車間通信が可能な後続車両グループから構成される車車間通信ネットワークのうち、自車両が所属する車両グループに応じて通信制御方法を切り替える制御部とを備え、制御部は、自車両が先頭車両グループに所属する場合、車両情報取得部に車両情報を取得させ、分割データ作成部に複数の分割データを作成させて、通信部からデータ転送車両グループへ送信させ、自車両がデータ転送車両グループに所属する場合、複数の分割データを通信部に受信させて車両情報を復元すると共に、一部の分割データを通信部からデータ合成車両グループおよび後続車両グループへ送信させ、自車両がデータ合成車両グループに所属する場合、データ転送車両グループが送信した分割データのすべてを通信部に受信させて車両情報を復元すると共に、排他的論理和演算部に合成データを作成させて通信部から後続車両グループへ送信させ、自車両が後続車両グループに所属する場合、データ転送車両グループが送信した一部の分割データとデータ合成車両グループが送信した合成データとを通信部に受信させて、排他的論理和演算部に残りの分割データを復元させ、一部の分割データと残りの分割データとから車両情報を復元するものである。
【発明の効果】
【０００９】
この発明によれば、車車間通信ネットワークの先頭車両側では、車両情報を分割した分割データまたは当該分割データの排他的論理和である合成データを送信すると共に、後続車両側では受信した一部の分割データと合成データとから未受信の残りの分割データを復元するようにしたので、車両グループ間でのデータ転送量を低減でき、輻輳を軽減できる。
【図面の簡単な説明】
【００１０】
【図１】この発明の実施の形態１に係る車車間通信装置を適用した車両の車車間通信ネットワークの概要図である。
【図２】実施の形態１に係る車車間通信装置の構成を示すブロック図である。
【図３】実施の形態１において各車両グループの通信チャネル切り替えの様子を説明する図である。
【図４】実施の形態１に係る車車間通信装置の車両グループ判断時の動作例を示すフローチャートである。
【図５】先頭車両グループの車両に搭載された車車間通信装置のデータ転送時の動作例を示すフローチャートである。
【図６】データ転送車両グループの車両に搭載された車車間通信装置のデータ転送時の動作例を示すフローチャートである。
【図７】データ合成車両グループの車両に搭載された車車間通信装置のデータ転送時の動作例を示すフローチャートである。
【図８】後続車両グループの車両に搭載された車車間通信装置のデータ転送時の動作例を示すフローチャートである。
【図９】実施の形態１の車車間通信ネットワークのデータ送受信の様子を示すタイムチャートである。
【図１０】この発明の実施の形態２において各車両グループの通信チャネル切り替えの様子を説明する図である。
【図１１】実施の形態２の車車間通信ネットワークのデータ送受信の様子を示すタイムチャートである。
【図１２】データ転送車両グループの車両に搭載された車車間通信装置のデータ転送時の動作例を示すフローチャートである。
【図１３】この発明の実施の形態３に係る車車間通信装置の構成を示すブロック図である。
【発明を実施するための形態】
【００１１】
以下、この発明をより詳細に説明するために、この発明を実施するための形態について、添付の図面に従って説明する。
実施の形態１．
この発明では、車車間通信が確立された複数の車両を、図１の概要図に示す通りに、先頭車両グループ１、先頭車両グループ１と通信可能なデータ転送車両グループ２，３、データ転送車両グループ２，３両方と通信可能なデータ合成車両グループ４、データ転送車両グループ２とデータ合成車両グループ４内の任意車両と通信可能な後続車両グループ５、データ転送車両グループ３とデータ合成車両グループ４内の任意車両と通信可能な後続車両グループ６に分ける。
【００１２】
先頭車両グループ１およびデータ転送車両グループ２，３を構成する車両は各１台とする。データ合成車両グループ４および後続車両グループ５，６を構成する車両は、それぞれ１台以上とする。また、後続車両グループ５，６はいずれか一方だけでもよい。よって、この車車間通信ネットワークは最低５台で構成可能である。
【００１３】
図１に示す複数の車両間で車両情報を共有する場合には、まず先頭車両グループ１の車両情報７（例：１０１１１０）を２つに分割した分割データ７１（例：１０１）と分割データ７２（例：１１０）を、先頭車両グループ１からデータ転送車両グループ２，３に分けて送信する。
【００１４】
データ転送車両グループ２，３が分割データ７１，７２を受信すると、データ転送車両グループ２は、通信エリア内に存在するデータ転送車両グループ３とデータ合成車両グループ４と後続車両グループ５に対して分割データ７１をブロードキャスト転送する。他方、データ転送車両グループ３は、通信エリア内に存在するデータ転送車両グループ２とデータ合成車両グループ４と後続車両グループ６に対して分割データ７２をブロードキャスト転送する。
【００１５】
最後に、データ合成車両グループ４に所属する任意車両は、分割データ７１（例：１０１）と分割データ７２（例：１１０）を全て（２個）受信すると、分割データ７１，７２をビット列としたときの排他的論理和（ＸＯＲ）演算を行って合成データ７３（例：０１１）を作成し、後続車両グループ５，６に対して合成データ７３を転送する。
【００１６】
後続車両グループ５に所属する全ての車両は、合成データ７３（例：０１１）と受信済みの分割データ７１（例：１０１）との排他的論理和によって、未受信の分割データ７２（例：１１０）を復元する。以下、復元した分割データ７２を復元分割データ７２ａ（例：１１０）と称す。
同様に、後続車両グループ６に所属する全ての車両は、合成データ７３（例：０１１）と受信済みの分割データ７２（例：１１０）との排他的論理和によって、未受信の分割データ７１（例：１０１）を復元する。以下、復元した分割データ７１を復元分割データ７１ａ（例：１０１）と称す。
【００１７】
これにより、データ転送車両グループ２，３およびデータ合成車両グループ４は、分割データ７１と分割データ７２を結合して車両情報７を復元することができる。
また、後続車両グループ５は、分割データ７２を受信しなくても合成データ７３から復元分割データ７２ａを得ることができ、受信した分割データ７１（例：１０１）と復元分割データ７２ａ（例：１１０）とを結合して車両情報７（例：１０１１１０）を復元することができる。同様に、後続車両グループ６は、分割データ７１を受信しなくても合成データ７３から復元分割データ７１ａを得ることができ、復元分割データ７１ａ（例：１０１）と受信した分割データ７２（例：１１０）とを結合して車両情報７（例：１０１１１０）を復元することができる。
【００１８】
この発明の基本的概念は上述の通りのものであって、これによって、従来の車車間通信ネットワークと比較して、ネットワークの伝送効率を向上させることが可能となる。
【００１９】
次に、この発明の実施の形態１に係る車車間通信装置を説明する。
図２のブロック図に示すように、車車間通信装置は、通信装置本体１１と、車両情報取得部１２と、ＧＰＳ（Ｇｌｏｂａｌ  Ｐｏｓｉｔｉｏｎｉｎｇ  Ｓｙｓｔｅｍ）情報取得部１３と、支援部１４とによって構成される。また、通信装置本体１１は、外部機器として報知部１５および入力部１６を利用する。当該構成の車車間通信装置を搭載した車両によって、図１に示した車車間通信を実現する。
【００２０】
車両情報取得部１２は、本車車間通信装置が搭載された車両の情報（図１に示す車両情報７）を取得する。車両情報には、少なくとも自車の車両位置情報が含まれていることとし、この車両位置情報は、車両情報取得部１２自身で取得する、あるいは後述のＧＰＳ情報取得部１３で取得したＧＰＳ情報を利用するなど、取得方法の種類は問わない。車両情報取得部１２が取得した車両情報は通信装置本体１１に入力され、自車が先頭車両グループ１ならば通信部１１１から他の車両グループへ送信されることになる。
【００２１】
ＧＰＳ情報取得部１３は、本車車間通信装置が搭載された車両のＧＰＳ情報を取得し、通信装置本体１１に入力する。なお、前述の通り、ＧＰＳ情報取得部１３が取得したＧＰＳ位置情報を車両位置情報として扱い、車両情報の一部として利用してもよい。
【００２２】
支援部１４は、通信装置本体１１を介して自車両または他車両から取得した車両情報に基づいて、各種支援を行う。この発明では支援内容に関しては、例えばオートクルーズ、追突防止、追従走行など種類は問わない。
【００２３】
なお、車両情報取得部１２、ＧＰＳ情報取得部１３、および支援部１４は、通信装置本体１１と同じ筐体内に収容してあってもよいし、別筐体になっていてもよい。例えば、車両情報取得部１２に既存の車両ＥＣＵ（Ｅｌｅｃｔｒｏｎｉｃ  Ｃｏｎｔｒｏｌ  Ｕｎｉｔ）、ＧＰＳ情報取得部１３に既存のＧＰＳレシーバ、支援部１４に既存のカーナビゲーション装置を利用することなどは容易に考えられる。
また、報知部１５に既存のカーナビゲーション装置のモニタまたはスピーカなどを利用してもよいし、入力部１６に既存のカーナビゲーション装置のタッチパネルなどを利用してもよい。
【００２４】
以下に、通信装置本体１１の内部構成を説明する。
通信部１１１は、車両に搭載された本車車間通信装置間で無線通信を行う。通信部１１１で用いる通信の方式は問わない。チャネル設定部１１２は、通信部１１１が無線通信で利用する周波数帯域（通信チャネル）を設定する。ここでは、チャネル設定部１１２が周波数帯域を起動時および通信確立時に設定することとし、２つ以上の周波数帯域での通信（例えば、一方がデータ受信用、他方がデータ送信用）が必要な場合は、規定周期ごとに周波数を切り替えることで並列通信を実現する。チャネル設定部１１２は、規定周期の計測に、ＧＰＳ情報取得部１３から入力されたＧＰＳ時間情報を利用することにより、複数車両間での周波数切り替えを同期させる。
【００２５】
制御部１１０は、車車間通信に係る各種制御を行う。具体的には、自車両がどの車両グループに所属するかの判断、所属する車両グループに応じたデータ転送要否、ならびに転送データの選定および作成を実施する。
所属する車両グループに応じたデータ転送要否は、転送要否判断部１１５が実行する。転送データの選定および作成は、分割データ作成部１１３、受信データ記憶部１１４およびＸＯＲ演算部１１６が協働して実現する。自車両がどの車両グループに所属するかの判断は、制御部１１０自身が行ってもよいし、外部で判断した結果を制御部１１０が取得してもよいため、図２では機能ブロックの図示を省略している。
【００２６】
制御部１１０は、自車両が先頭車両グループ１に所属する場合に、分割データ作成部１１３に指令を出す。
分割データ作成部１１３は、制御部１１０からの指令に応じて、入力された車両情報７（例：１０１１１０）を、例えば２つのデータ（例：１０１と１１０）に分割し、分割された各データにヘッダ情報として受信データサイズとシーケンス番号（先頭から何個目の分割データかを示す値）を付加することで、分割データ７１，７２を作成する。
分割データ７１は、受信データサイズ「３ビット」、シーケンス番号「１」、ビット列「１０１」を含む。分割データ７２は、受信データサイズ「３ビット」、シーケンス番号「２」、ビット列「１１０」を含む。
【００２７】
受信データ記憶部１１４は、通信部１１１が受信した分割データ７１，７２および合成データ７３、ならびにＸＯＲ演算部１１６が作成した復元分割データ７１ａ，７２ａのうちの少なくとも１つ以上のデータを記憶する。また、受信データ記憶部１１４は、全ての分割データ７１，７２（または復元分割データ７１ａ，７２ａ）を記憶済みである場合には、これらのデータから復元した車両情報７も併せて記憶する。記憶した各情報は、制御部１１０および制御部１１０内の各部で参照できることとする。
【００２８】
制御部１１０は、自車両がデータ合成車両グループ４に所属する場合に、転送要否判断部１１５に指令を出す。
転送要否判断部１１５は、制御部１１０からの指令に応じて、データを他車両に転送するか否かを判断する。具体的には、自車両の所属する車両グループがデータ合成車両グループ４である場合に、データ合成車両グループ４内のどの車両も合成データ７３を未送信ならば、受信データ記憶部１１４の記憶する合成データ７３を転送する必要があると判断する。判断結果は転送要否判断部１１５から制御部１１０に出力する。
また、転送要否判断部１１５は、車車間通信ネットワークを構成する全ての車両が先頭車両グループ１の車車間通信エリア内に存在する場合に、受信したデータを他の車両グループへ転送しないと判断する。
【００２９】
制御部１１０は、自車両がデータ合成車両グループ４または後続車両グループ５，６に所属する場合に、ＸＯＲ演算部１１６に指令を出す。
ＸＯＲ演算部１１６は、制御部１１０からの指令に応じて、受信した分割データ７１と分割データ７２に基づいて、ヘッダ情報を除いたビット列の排他的論理和を算出することで合成データ７３を作成する。ＸＯＲ演算部１１６は作成した合成データ７３にヘッダ情報（シーケンス番号は「０」とする）を付与した後に、通信部１１１を介して転送する。
また、ＸＯＲ演算部１１６は、制御部１１０からの指令に応じて、受信した分割データ７１（または分割データ７２）と合成データ７３に基づいて、ヘッダ情報を除いたビット列の排他的論理和を算出することで復元分割データ７２ａ（または復元分割データ７１ａ）を復元する。
【００３０】
以下に、車車間通信装置の動作について、（１）車両グループ判断時、（２）データ転送時に分けて説明する。なお、実施の形態１では、図３の通りに、チャネル設定部１１２が通信部１１１の通信チャネルを設定しているものとする。これにより、車車間通信を確立した全車両が共通の２チャネル（図３ではチャネルＡとチャネルＢとする）を介して通信が出来る状態になっており、全車両の車車間通信装置のチャネル切り替えが同期している。
【００３１】
（１）車両グループ判断時
図４に、車両グループ判断時の車車間通信装置の動作フローの一例を示す。車両間で車車間通信が確立された後、制御部１１０は、自車両の車両情報を通信部１１１経由で送信すると共に、他車両が送信する車両情報を通信部１１１経由で受信する（ステップＳＴ１）。制御部１１０は、受信した車両情報数が車両グループ数以上の場合、即ち、自車両の車両情報を含めて５個以上の車両情報が存在する場合、図１に示した車車間通信ネットワークを構築可能な台数の車両が周囲に存在するので、車両グループ判断が必要であると判定する（ステップＳＴ２“ＹＥＳ”）。一方、車両情報数が車両グループ数より少ない場合、制御部１１０は車両グループ判断は不要と判定して（ステップＳＴ２“ＮＯ”）、処理を終了する。
【００３２】
ステップＳＴ３において、制御部１１０が車両グループを判断するか、外部から通知される車両グループを取得する。以下に車両グループの判断方法を例示するが、判断方法は問わない。
例えば、図１に記載した各車両において、同じアプリケーション（例えば、ナビゲーション装置またはスマートフォンの自動運転支援系のアプリケーション）を利用中の運転者同士を支援するために車車間通信を行う場合ならば、制御部１１０が、自車両と周辺車両の相対位置関係を把握することで、先頭車両グループ１、データ転送車両グループ２，３、合成車両グループ４、および後続車両グループ５，６のいずれの車両グループに所属するのか判断できる。
自車両の位置情報は、車両情報取得部１２から取得可能である。あるいは、ＧＰＳ情報取得部１３から得られるＧＰＳ位置情報、およびスマートフォン、ナビゲーション装置、地図サーバなどから入手可能な地図情報に基づいて算出可能である。
他車両の位置情報としては、車車間通信の確立時に車両間で送受信される通信確立情報の中に含まれるＧＰＳ位置情報を使用可能である。
【００３３】
なお、車両グループの判断は、制御部１１０自身で行ってもよいし、外部機器（例えば、サーバで行ってもよい。サーバを利用する場合、サーバが本車車間通信装置を搭載した全車両の位置情報を収集し、車両グループを判断して、各車両に通知する。
【００３４】
また、友人同士のドライブ時に隊列走行を支援するために車車間通信を利用する場合、入力部１６が運転者から先頭車両グループ１として走行するか否かの選択を受け付けるなどして、どの車両が先頭車両グループ１になるか事前に決定しているので、先頭車両グループ１に決定した制御部１１０が他車両の所属を判断して、他車両に対して通知してもよい。
【００３５】
車両グループ判断後は、制御部１１０が、車両情報取得部１２またはＧＰＳ情報取得部１３で取得する自車両の位置情報、および通信確立情報の中に含まれる周辺車両のＧＰＳ位置情報などの車両位置の履歴に基づいて、自車両と周辺車両との相対位置を確認し、相対位置関係の変化を予測する（ステップＳＴ４）。制御部１１０は、相対位置関係を確認した結果、後述の通りに変化すると予測される場合にはその予測に応じた各種支援を行う。
【００３６】
具体的には、制御部１１０において、自車両が周辺車両より先に進んで先頭車両グループ１になると予測した場合（ステップＳＴ５“ＹＥＳ”）、報知部１５を介してその旨を運転者に通知する支援を行う（ステップＳＴ６）。それ以外は（ステップＳＴ５“ＮＯ”）、ステップＳＴ７へ進む。
また、制御部１１０は、報知部１５を介して先頭車両グループ１になる旨を通知するだけでなく、運転が下手または自信がない運転者が先頭車両グループ１として他の車両グループを先導することが無い様に、先頭車両になるか否を選択させる表示を報知部１５に行わせたり、オートクルーズ支援時に先頭車両グループ１になる場合にオートクルーズ走行速度を設定させる表示を報知部１５に行わせたりする。このように、運転者に対する使いやすさを考慮した支援を行ってもよい。
【００３７】
続いて、制御部１１０において、任意の車両グループに所属する全ての車両が離脱することで車両グループの欠けが生じると予測した場合（ステップＳＴ７“ＹＥＳ”）、離脱する車両の役割を自車両が果たすために、報知部１５を介して運転者に、離脱車両付近へ移動することを推奨する通知を出す支援を行う（ステップＳＴ８）。それ以外は（ステップＳＴ７“ＮＯ”）、ステップＳＴ９へ進む。
加えて、制御部１１０は、報知部１５を介して運転者に、離脱車両付近へ移動するか否かを選択させる表示を行わせてもよい。さらに、入力部１６を介して運転者から移動を許可する返答があった場合に、制御部１１０から支援部１４へ指示して、離脱した車両グループの役割を果たせる位置に自車両を移動する車両制御を実施してもよい。車両移動後は、離脱した車両の代わりに、欠けた車両グループとしての役割を果たす。
これにより、各１台で構成されるデータ転送車両グループ２，３の車両が離脱する際に、複数台で構成されるデータ合成車両グループ４または後続車両グループ５，６からデータ転送車両グループ２，３へ車両を補充可能である。また、データ合成車両グループ４を構成する全ての車両が離脱する際に、後続車両グループ５，６からデータ合成車両グループ４へ車両を補充可能である。よって、車車間通信ネットワークを維持できる。
【００３８】
最後に、制御部１１０において、車車間通信ネットワークを構成する全車両が先頭車両グループ１の通信エリア内に存在すると予測した場合（ステップＳＴ９“ＹＥＳ”）、所属する車両グループから離脱して、先頭車両グループ１の車両から直接車両情報を受信するよう通信部１１１を制御する（ステップＳＴ１０）。その際、転送要否判断部１１５が、受信した車両情報を他車両へ転送しないと判断し、他の車両グループへ車両情報の転送を行わないようにする。これにより、先頭車両グループ１の通信エリア内に全車両が存在する場合に、後述する（２）データ転送を実施せず、各車両が直接先頭車両グループ１と通信するようになるので、データ共有に要する時間を短縮することができる。
上記以外は（ステップＳＴ９“ＮＯ”）、処理を終了する。
【００３９】
なお、車車間通信装置が図４に示した動作を定期的に実行することにより、車両の状況に応じて車両グループを再構築することができるので、走行車線ごとの渋滞および規制などの道路状況の違いに起因して走行順番が変更するなど、車両の状況が変化しても、車車間通信を維持することができる。
【００４０】
（２）データ転送時
図５〜図８に、データ転送時の車車間通信装置の動作フローの一例を示す。図５は、先頭車両グループ１の車両に搭載された車車間通信装置の動作フロー、図６は、データ転送車両グループ２，３の車両に搭載された車車間通信装置の動作フロー、図７は、データ合成車両グループ４の車両に搭載された車車間通信装置の動作フロー、図８は、後続車両グループ５，６の車両に搭載された車車間通信装置の動作フローである。
【００４１】
図９は、車車間通信ネットワークのデータ送受信の様子を示すタイムチャートである。横軸は時間、その横軸の上側の四角枠が送信処理、下側の四角枠が受信処理を表し、各四角枠内のアルファベットが送受信に使用した通信チャネル（チャネルＡ，Ｂ）、数字がデータの種類（分割データ７１，７２および合成データ７３）を示す。
【００４２】
以下では、図１〜図３および図５〜図９を用いて、車両グループごとにデータ転送時の動作を説明する。
最初に、図５を参照しながら、車車間通信装置が搭載された車両が、先頭車両グループ１に所属している場合を説明する。制御部１１０は、先頭車両グループ１に所属すると判断すると、まず車両情報取得部１２から車両情報を取得する（ステップＳＴ１０１）。続いて、制御部１１０は車車間通信が確立されているか確認し、確立されている場合には（ステップＳＴ１０２“ＹＥＳ”）、分割データ作成部１１３が、車両情報取得部１２から入力された車両情報を元に分割データを作成する（ステップＳＴ１０３）。
【００４３】
チャネル設定部１１２は、図３に示したように、規定時間ごとに通信部１１１のチャネルＡ，Ｂを切り替える。制御部１１０は、図９の通り、通信部１１１の通信チャネルがチャネルＡに切り替わっているときに分割データ７１をデータ転送車両グループ２へ送信し、チャネルＢに切り替わっているときに分割データ７２をデータ転送車両グループ３へ送信する（ステップＳＴ１０４）。
車車間通信が確立されていない場合（ステップＳＴ１０２“ＮＯ”）、制御部１１０は処理を終了する。
【００４４】
次に、図６を参照しながら、車車間通信装置が搭載された車両が、データ転送車両グループ２，３に所属している場合を説明する。チャネル設定部１１２は、図３に示したように、規定時間ごとに通信部１１１のチャネルＡ，Ｂを切り替える。通信部１１１は、図９の第１フェーズのように、通信チャネルがチャネルＡに切り替わっているときに先頭車両グループ１から分割データ７１を受信し、チャネルＢに切り替わっているときに先頭車両グループ１から分割データ７２を受信する（ステップＳＴ１１１）。制御部１１０は、通信部１１１を介して受信した分割データ７１，７２と、これら分割データ７１，７２から復元した車両情報７を受信データ記憶部１１４に記憶する。
【００４５】
受信データ記憶後、転送要否判断部１１５を介してデータ転送要否判断した後、続いて制御部１１０は、規定時間ごとに通信部１１１の通信チャネルを確認し（ステップＳＴ１１２）、先頭車両グループ１との通信に利用した通信チャネルに切り替わっていれば（ステップＳＴ１１２“ＹＥＳ”）、この通信チャネルを用いて分割データをブロードキャスト転送する（ステップＳＴ１１３）。具体的には、図９の第２フェーズのように、データ転送車両グループ２の制御部１１０は、通信部１１１がチャネルＡに切り替わっているときに、分割データ７１をブロードキャスト転送する。他方、データ転送車両グループ３の制御部１１０は、通信部１１１がチャネルＢに切り替わっているときに、分割データ７２をブロードキャスト転送する。
【００４６】
制御部１１０は、分割データの送受信が完了すると、受信データ記憶部１１４に記憶した車両情報７を支援部１４へ出力し、支援部１４がこの車両情報７に基づいて各種支援を実施する（ステップＳＴ１１４）。例えば、先頭車両グループ１の先頭車両が支援部１４のオートクルーズ機能により一定速度で走行している場合、データ転送車両グループ２，３に所属する車両の支援部１４は、車両情報７に含まれている先頭車両の走行速度に従って自車両の加減速を制御し、先頭車両に追従して走行するよう支援する。
【００４７】
次に、図７を参照しながら、車車間通信装置が搭載された車両が、データ合成車両グループ４に所属している場合を説明する。チャネル設定部１１２は、図３に示したように、規定時間ごとに通信部１１１のチャネルＡ，Ｂを切り替える。通信部１１１は、図９の第２フェーズのように、通信チャネルがチャネルＡに切り替わっているときにデータ転送車両グループ２から分割データ７１を受信し、チャネルＢに切り替わっているときにデータ転送車両グループ３から分割データ７２を受信する（ステップＳＴ１２１）。制御部１１０は、通信部１１１を介して受信した分割データ７１，７２と、これら分割データ７１，７２から復元した車両情報７を受信データ記憶部１１４に記憶する。
【００４８】
続いて転送要否判断部１１５が、データ転送要否を判断する（ステップＳＴ１２２）。具体的には、転送要否判断部１１５が、分割データ受信後に車車間通信帯域（ここではチャネルＡ，Ｂ）は未使用であるか否かを確認し、未使用である場合には転送が必要であると判断する。データ転送が必要と判断した場合には（ステップＳＴ１２２）、先ず制御部１１０が受信データ記憶部１１４に記憶した分割データ７１，７２をＸＯＲ演算部１１６へ出力し、ＸＯＲ演算部１１６がこれら分割データ７１，７２から合成データ７３を作成する（ステップＳＴ１２３）。続いて制御部１１０は、図９の第３フェーズのように、分割データ受信時に利用した２つのチャネルＡ，Ｂを使用して合成データ７３を後続車両グループ５，６へ転送する（ステップＳＴ１２４）。
【００４９】
制御部１１０はまた、合成データ７３の転送と同時に、受信データ記憶部１１４に記憶した車両情報７を支援部１４へ出力し、支援部１４がこの車両情報７に基づいて各種支援を実施する（ステップＳＴ１２５）。
【００５０】
次に、図８を参照しながら、車車間通信装置が搭載された車両が、後続車両グループ５，６に所属している場合を説明する。チャネル設定部１１２は、図３に示したように、規定時間ごとに通信部１１１のチャネルＡ，Ｂを切り替える。図９の第２フェーズのように、後続車両グループ５の通信部１１１は、チャネルＡに切り替わっているときにデータ転送車両グループ２から分割データ７１を受信し、他方、後続車両グループ６の通信部１１１は、チャネルＢに切り替わっているときにデータ転送車両グループ３から分割データ７２を受信する（ステップＳＴ１３１）。制御部１１０は、通信部１１１を介して受信した分割データ７１または分割データ７２を受信データ記憶部１１４に記憶する。
【００５１】
続いて後続車両グループ５，６の各通信部１１１は、図９の第３フェーズのように、データ合成車両グループ４から合成データ７３を受信する（ステップＳＴ１３２）。合成データ受信後、後続車両グループ５の制御部１１０は、受信した分割データ７１と合成データ７３をＸＯＲ演算部１１６に出力して復元分割データ７２ａを作成させ（ステップＳＴ１３４）、その復元分割データ７２ａと分割データ７１とから車両情報７を復元して受信データ記憶部１１４に記憶する。他方、後続車両グループ６の制御部１１０は、受信した分割データ７２と合成データ７３をＸＯＲ演算部１１６に出力して復元分割データ７１ａを作成させ（ステップＳＴ１３４）、その復元分割データ７１ａと分割データ７２とから車両情報７を復元して受信データ記憶部１１４に記憶する。
【００５２】
最後に制御部１１０は、受信データ記憶部１１４に記憶した車両情報７を支援部１４へ出力し、支援部１４がこの車両情報７に基づいて各種支援を実施する（ステップＳＴ１３５）。
【００５３】
以上より、実施の形態１に係る車車間通信装置は、自車両が先頭車両グループ１に所属する場合、制御部１１０が、車両情報取得部１２に車両情報を取得させ、分割データ作成部１１３に複数の分割データを作成させて、通信部１１１からデータ転送車両グループ２，３へ送信させるようにした。
また、自車両がデータ転送車両グループ２，３に所属する場合、制御部１１０が、複数の分割データを通信部１１１に受信させて車両情報を復元すると共に、一部の分割データを通信部１１１からデータ合成車両グループ４および後続車両グループ５，６へ送信させるようにした。
また、自車両がデータ合成車両グループ４に所属する場合、制御部１１０が、データ転送車両グループ２，３が送信した分割データのすべてを通信部１１１に受信させて車両情報を復元すると共に、ＸＯＲ演算部１１６に合成データを作成させて通信部１１１から後続車両グループ５，６へ送信させるようにした。
また、自車両が後続車両グループ５，６に所属する場合、制御部１１０が、データ転送車両グループ２，３が送信した一部の分割データとデータ合成車両グループ４が送信した合成データとを通信部１１１に受信させて、ＸＯＲ演算部１１６に残りの分割データを復元させ、一部の分割データと残りの分割データとから車両情報を復元するようにした。
このように、車車間通信ネットワークを構成する車両をいくつかの車両グループに分け、先頭車両側では、車両情報を分割した分割データまたは当該分割データの排他的論理和である合成データを送信すると共に、後続車両側では受信した一部の分割データから未受信の残りの分割データを復元するようにして、各車両グループ間のデータ転送を最適化したので、データ転送量を低減でき、輻輳を軽減できる。
【００５４】
なお、車車間通信装置は、少なくとも通信部１１１、車両情報取得部１２、分割データ作成部１１３、ＸＯＲ演算部１１６および制御部１１０を備える構成にすることによって上記効果を奏することができ、図２に示した受信データ記憶部１１４、転送要否判断部１１５、チャネル設定部１１２、ＧＰＳ情報取得部１３、支援部１４、報知部１５および入力部１６は必須の構成ではない。
【００５５】
また、実施の形態１によれば、制御部１１０が、車車間通信ネットワークを構成する車両の位置関係に基づいて、車両グループを構築するようにしたので、車両の状況が変化しても車車間通信を維持することができる。
【００５６】
また、実施の形態１によれば、制御部１１０が、車両の走行順番が入れ替わった場合に車両グループを再構築し、当該再構築した車両グループに応じて通信制御方式を切り替えるようにしたので、走行車線ごとの渋滞および記載などの道路状況の違いに起因して、車両の走行順番が変更した場合でも、車車間通信を維持することができる。
【００５７】
また、実施の形態１によれば、制御部１１０は、自車が先頭車両グループ１に所属する場合に、自車に設置されている報知部１５を介して運転者へ、先頭車両になった旨を報知させるようにした。これにより、運転者が車両状況の変化を認識できるようになり、車両状況の変化に応じて支援部１４による支援内容が変更された場合に生じる違和感を払拭することが可能となる。
【００５８】
また、実施の形態１によれば、制御部１１０は、自車に設置されている入力部１６を介して運転者から、先頭車両として走行するか否かの選択を受け付けるようにした。先頭車両になるか否かを運転者が選択できることで、例えば、運転に自信の無い運転者が先頭車両になることを回避できるなどの、運転者のニーズも踏まえて支援部１４による支援を実施することが可能となる。
【００５９】
また、実施の形態１によれば、制御部１１０は、支援部１４がオートクルーズ機能を実行している場合であって自車が先頭車両グループ１に所属する場合に、報知部１５を介して運転者へ、自車の走行速度が設定できる旨を報知させるようにした。このため、オートクルーズ支援の走行速度を設定できるタイミングを、運転者が把握できる。
【００６０】
また、実施の形態１によれば、制御部１１０のうちの転送要否判断部１１５は、車車間通信ネットワークを構築している全車両が先頭車両グループ１との車車間通信が可能な範囲内に存在する場合に、通信部１１１を制御して、先頭車両グループ１から車両情報を直接取得させ、当該取得した車両情報を他車両へ転送させないようにした。このため、車両の位置関係に応じて、通信時間が短くなる通信方法を選択できる。
【００６１】
また、実施の形態１によれば、制御部１１０は、先頭車両グループ１、データ転送車両グループ２，３、およびデータ合成車両グループ４のうちのいずれかの車両グループに所属する車両が離脱した場合に、自車に設置されている報知部１５を介して運転者へ、当該車両が離脱した車両グループの位置への移動を促す案内を行うようにした。このため、車車間通信中に車両が離脱した場合でも、車車間通信の維持および復旧が可能となる。
【００６２】
また、実施の形態１によれば、制御部１１０は、先頭車両グループ１、データ転送車両グループ２，３、およびデータ合成車両グループ４のうちのいずれかの車両グループに所属する車両が離脱した場合に、支援部１４に指示して、当該車両が離脱した車両グループの位置に自車を移動させるようにした。このため、車車間通信中に車両が離脱した場合でも、自動的に車車間通信の維持および復旧が可能となる。また、運転者に報知した上で移動を支援するので、自動的に自車位置が移動することにより生じる運転者の違和感を払拭することができる。
【００６３】
また、実施の形態１によれば、制御部１１０は、車両が離脱した車両グループの位置に自車が移動した場合に、当該車両グループに応じた通信制御方法に切り替えるようにしたので、車車間通信を維持することが可能となる。
【００６４】
また、実施の形態１によれば、車車間通信装置は、通信部１１１がデータの送受信に使用する通信チャネル（図３および図９に示すチャネルＡ，Ｂ）および通信期間（図９に示す第１〜第３フェーズ）を制御するチャネル設定部１１２を備え、このチャネル設定部１１２が、自車両を含む車両グループ間でのデータ送受信を、他の車両グループ間でのデータ送受信とは異なる通信期間で行わせるようにした。これにより、自車両を含む車両グループ間で通信する際に、別の車両グループ間の通信と同一の通信チャネル且つ同一の通信期間になることを防ぐことができ、データ衝突を回避することができる。
【００６５】
実施の形態２．
実施の形態２では、実施の形態１と同じ構成の車車間通信装置において使用する通信チャネルを変更することで、車車間通信ネットワーク全体のデータ転送の効率化を実現し、通信遅延を削減する。ここでは、図１に示した車車間通信ネットワークおよび図２に示した車車間通信装置を援用して、本実施の形態２を説明する。
【００６６】
以下に車車間通信装置の動作を説明するが、（１）車両グループ判断時の動作は上記実施の形態１と同一の動作となるため説明を省略することとし、（２）データ転送時の動作を説明する。
【００６７】
（２）データ転送時
図１０は、実施の形態２の各車両グループの通信チャネルの切り替えの様子を説明する図である。実施の形態２では、全ての車車間通信装置で合計４つの通信チャネル（以下の説明ではチャネルＡ，Ｂ，Ｃ，Ｄとする）を使用する。各車車間通信装置のチャネル設定部１１２が、図１０の通りに規定周期ごとに連動して通信部１１１の通信チャネル切り替えを行うことで、同時通信を実現する。
具体的には、先頭車両グループ１とデータ転送車両グループ２，３との間の通信にはチャネルＡ，Ｂを、データ転送車両グループ２とデータ合成車両グループ４および後続車両グループ５との間の通信にはチャネルＣを、データ転送車両グループ３とデータ合成車両グループ４および後続車両グループ６との間の通信にはチャネルＤを使用する。さらに、図１０では図示を省略しているが、チャネル設定部１１２は、データ転送車両グループ２のチャネルＣをチャネルＢに再設定し、データ転送車両グループ３のチャネルＤをチャネルＡに再設定して、データ転送車両グループ２，３の間の通信に使用する。この詳細は後述する。
【００６８】
図１１は、車車間通信ネットワークのデータ送受信の様子を示すタイムチャートである。図９同様、横軸は時間、その横軸の上側の四角枠が送信処理、下側の四角枠が受信処理を表し、各四角枠内のアルファベットが送受信に使用した通信チャネル（チャネルＡ〜Ｄ）、数字がデータの種類（分割データ７１，７２および合成データ７３）を示す。
【００６９】
以下では、車両グループごとにデータ転送時の動作を説明する。
なお、先頭車両グループ１に所属している車両に搭載された車車間通信装置は、上記実施の形態１と同一の動作となるため、説明を割愛する。
【００７０】
図１２に、データ転送車両グループ２，３の車両に搭載された車車間通信装置のデータ転送時の動作フローを示す。最初は、図１０に示したように、データ転送車両グループ２のチャネル設定部１１２が規定時間ごとに通信部１１１のチャネルＡ，Ｃを切り替え、データ転送車両グループ３のチャネル設定部１１２が規定時間ごとに通信部１１１のチャネルＤ，Ｂを切り替える。
【００７１】
この切り替え状態において、データ転送車両グループ２，３に所属している車車間通信装置は、先頭車両グループ１から分割データ受信を開始すると（ステップＳＴ２０１）、図１１の第１フェーズにおいて分割データの受信と転送を同時に行う。
具体的には、制御部１１０が規定時間ごとに通信部１１１の通信チャネルを確認し（ステップＳＴ２０２）、先頭車両グループ１との通信に使用する通信チャネル（データ転送車両グループ２はチャネルＡ、データ転送車両グループ３はチャネルＢ）に切り替わっている場合に（ステップＳＴ２０２“ＮＯ”）、先頭車両グループ１から分割データ７１または分割データ７２を受信する（ステップＳＴ２０４）。制御部１１０は、通信部１１１を介して受信した分割データ７１または分割データ７２を、受信データ記憶部１１４に記憶する。
【００７２】
また、制御部１１０は、他方の通信チャネル（データ転送車両グループ２はチャネルＣ、データ転送車両グループ３はＤ）に切り替わっている場合（ステップＳＴ２０２“ＹＥＳ”）、制御部１１０は、先頭車両グループ１から受信した分割データ７１または分割データ７２をブロードキャスト転送する（ステップＳＴ２０３）。
【００７３】
図１１の第１フェーズにおいて分割データ７１，７２の受信と転送が完了すると、続いてチャネル設定部１１２が通信部１１１の通信チャネルの再設定を行う（ステップＳＴ２０５）。具体的には、データ転送車両グループ２のチャネル設定部１１２が、データ転送車両グループ２からデータ合成車両グループ４および後続車両グループ５へ分割データ７１を転送するために使用したチャネルＣを、他方のデータ転送車両グループ３と先頭車両グループ１との間の通信用のチャネルＢに変更し、このチャネルＢをデータ転送車両グループ２，３間のデータ授受に使用する（図１１に二重四角枠で示す）。
【００７４】
他方、データ転送車両グループ３のチャネル設定部１１２は、データ転送車両グループ３からデータ合成車両グループ４および後続車両グループ６へ分割データ７２を転送するために使用したチャネルＤを、他方のデータ転送車両グループ２と先頭車両グループ１との間の通信用のチャネルＡに変更し、このチャネルＡをデータ転送車両グループ２，３間のデータ授受に使用する（図１１に二重四角枠で示す）。
【００７５】
通信チャネルの再設定後、データ転送車両グループ２とデータ転送車両グループ３との間でチャネルＡ，Ｂの切り替えが同期した状態になり、図１１の第２フェーズにおいて受信済みの分割データの転送と、未受信の分割データの受信を同時に行う。
具体的には、データ転送車両グループ２の制御部１１０が規定時間ごとに通信部１１１の通信チャネルを確認し（ステップＳＴ２０６）、チャネルＡに切り替わっているときに（ステップＳＴ２０６“ＹＥＳ”）、第１フェーズで受信した分割データ７１をデータ転送車両グループ３へ転送する（ステップＳＴ２０７）。チャネルＢに切り替わっているときには（ステップＳＴ２０６“ＮＯ”）、第１フェーズで未受信の分割データ７２をデータ転送車両グループ３から受信する（ステップＳＴ２０８）。制御部１１０は、ステップＳＴ２０８で受信した分割データ７２を先のステップＳＴ２０４で受信した分割データ７１と結合して車両情報７を復元し、受信データ記憶部１１４に記憶する。
【００７６】
一方、データ転送車両グループ３の制御部１１０も規定時間ごとに通信部１１１の通信チャネルを確認し（ステップＳＴ２０６）、チャネルＢに切り替わっているときに（ステップＳＴ２０６“ＹＥＳ”）、第１フェーズで受信した分割データ７２をデータ転送車両グループ２へ転送する（ステップＳＴ２０７）。チャネルＡに切り替わっているときには（ステップＳＴ２０６“ＮＯ”）、第１フェーズで未受信の分割データ７１をデータ転送車両グループ２から受信する（ステップＳＴ２０８）。制御部１１０は、ステップＳＴ２０８で受信した分割データ７１を先のステップＳＴ２０４で受信した分割データ７２と結合して車両情報７を復元し、受信データ記憶部１１４に記憶する。
【００７７】
データ転送車両グループ２，３の制御部１１０は、上記処理が完了すると、受信データ記憶部１１４に記憶した車両情報７を支援部１４へ出力し、支援部１４がこの車両情報７に基づいて各種支援を実施する（ステップＳＴ２０９）。
【００７８】
データ合成車両グループ４および後続車両グループ５，６に所属している車両に搭載された車車間通信装置は、使用する通信チャネル以外は上記実施の形態１と同様の動作となる。ただし、図１１に示すように、第１フェーズにて、先頭車両グループ１からデータ転送車両グループ２，３を介してデータ合成車両グループ４および後続車両グループ５，６へ分割データ転送を行い、第２フェーズにてデータ合成車両グループ４から後続車両グループ５，６へ合成データ転送を行うことができるので、先頭車両グループ１から後続車両グループ５，６までのデータ転送が２フェーズで完了する。
これに対し、上記実施の形態１の通信方法では、図９に示すように、第１フェーズにて先頭車両グループ１からデータ転送車両グループ２，３へ分割データ送信を行い、第２フェーズにてデータ転送車両グループ２，３からデータ合成車両グループ４および後続車両グループ５，６へ分割データ転送を行い、第３フェーズにてデータ合成車両グループ４から後続車両グループ５，６へ合成データ転送を行っており、先頭車両グループ１から後続車両グループ５，６までのデータ転送に３フェーズ要していた。
【００７９】
以上より、実施の形態２によれば、車車間通信装置は、通信部１１１がデータの送受信に使用する通信チャネル（図１０および図１１に示すチャネルＡ〜Ｄ）および通信期間（図１１に示す第１、第２フェーズ）を制御するチャネル設定部１１２を備え、このチャネル設定部１１２が、自車両を含む車両グループ間でのデータ送受信を、他の車両グループ間でのデータ送受信とは異なる通信チャネルで行わせるようにした。これにより、自車両を含む車両グループ間で通信する際に、別の車両グループ間の通信と同一の通信チャネル且つ同一の通信期間になることを防ぐことができ、データ衝突を回避することができる。
【００８０】
特に、実施の形態２では、チャネル設定部１１２が通信部１１１を制御して、自車両を含む車両グループ間でのデータ送受信を、他の車両グループ間でのデータ送受信とは異なる通信チャネルで行わせて、同一通信期間内での並列通信を可能にした。そのため、例えば、先頭車両グループ１とデータ転送車両グループ２，３との間の分割データ送受信と、データ転送車両グループ２，３とデータ合成車両グループ４および後続車両グループ５，６との間の分割データ送受信を、第１フェーズで行うといったことが可能になり、車車間通信ネットワークでの通信遅延を削減できる。
【００８１】
実施の形態３．
実施の形態３では、車車間通信装置が通信部を複数有することで複数チャネルの通信を同時に出来る構成にし、車車間通信ネットワーク全体の通信遅延を上記実施の形態１，２よりも削減する。
【００８２】
図１３に、実施の形態３に係る車車間通信装置の構成例を示す。なお、図１３において図２と同一または相当の部分については同一の符号を付し説明を省略する。本実施の形態３では、通信部１１１が第一通信部１１１ａおよび第二通信部１１１ｂを有し、送受信の並列化、および２つの車車間通信装置からの同時データ受信を実現する。第一通信部１１１ａおよび第二通信部１１１ｂそれぞれが無線通信で利用する周波数帯域（通信チャネル）は、チャネル設定部１１２が設定する。また、上記実施の形態１，２と同様に、第一通信部１１１ａおよびｂ第二通信部１１１ｂそれぞれが２つ以上の周波数帯域での並列通信を行う場合には、チャネル設定部１１２が規定時間ごとに周波数帯域の切り替えを行う。
【００８３】
２つの通信部１１１（第一通信部１１１ａおよび第二通信部１１１ｂ）を並列に使用することにより、例えば、上記実施の形態１の図３の通信方法を用いる場合に、第一通信部１１１ａをチャネルＡ、第二通信部１１１ｂをチャネルＢに設定して並列通信が可能となる。よって、データ転送に要する時間を１／２に短縮することができる。３つ以上の通信部１１１を使用すれば、さらなる時間の短縮が可能となる。
【００８４】
以上より、実施の形態３によれば、車車間通信装置が、第一通信部１１１ａと第二通信部１１１ｂを備える構成にしたので、車車間通信ネットワークの通信遅延をさらに削減できる。
【００８５】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８６】
以上のように、この発明に係る車車間通信装置は、複数車両をいくつかの車両グループに分けてデータ転送を最適化したので、先頭車両の情報を後続車両で共有してオートクルーズおよび追従走行を行う支援サービス等に用いる車車間通信装置に適している。
【符号の説明】
【００８７】
１  先頭車両グループ、２，３  データ転送車両グループ、４  データ合成車両グループ、５，６  後続車両グループ、７  車両情報、７１，７２  分割データ、７１ａ，７２ａ  復元分割データ、７３  合成データ、１１  通信装置本体、１２  車両情報取得部、１３  ＧＰＳ情報取得部、１４  支援部、１５  報知部、１６  入力部、１１０  制御部、１１１  通信部、１１１ａ  第一通信部、１１１ｂ  第二通信部、１１２  チャネル設定部、１１３  分割データ作成部、１１４  受信データ記憶部、１１５  転送要否判断部、１１６  ＸＯＲ演算部（排他的論理和演算部）。
【図１】
0006026012.tif 000002
【図２】
0006026012.tif 000003
【図３】
0006026012.tif 000004
【図４】
0006026012.tif 000005
【図５】
0006026012.tif 000006
【図６】
0006026012.tif 000007
【図７】
0006026012.tif 000008
【図８】
0006026012.tif 000009
【図９】
0006026012.tif 000010
【図１０】
0006026012.tif 000011
【図１１】
0006026012.tif 000012
【図１２】
0006026012.tif 000013
【図１３】
0006026012.tif 000014